(57)【要約】【課題】  自動植菌機による植菌やその他植菌作業によっても不良が発生せず、確実に原木に打ち込まれる成型駒を提供すること。【解決手段】  茸栽培用原木に設けられた穿孔穴に入れられる茸菌を含有した粉体が、穿孔穴形状に成型された菌類支持体１２を有し、菌類支持体１２の一端部に取り付けられ原木の穿孔穴の開口部を閉鎖する閉鎖部材１４を備える。閉鎖部材１４の菌類支持体１２に接している端面１４ａには、複数の穴部１６を有する。穴部１６の内側に、菌類支持体１２の一部または菌類が侵入可能に形成され、閉鎖部材１４と菌類支持体１２が結合している。穴部１６は、閉鎖部材１４の端面に対して斜めに形成されていても良い。【選択図】      図３
2005110547.tif 000002
【特許請求の範囲】
【請求項１】
茸栽培用原木に設けられた穿孔穴に入れられる茸菌を含有した粉体が、上記穿孔穴形状に成型された菌類支持体を有し、上記菌類支持体の一端部に取り付けられ上記穿孔穴の開口部を閉鎖する閉鎖部材が設けられた成型駒において、上記閉鎖部材の上記菌類支持体に接している端面には、複数の穴部が形成され、上記穴部の内側に菌類支持体の一部または菌類が侵入可能に形成され、上記閉鎖部材と上記菌類支持体が連結されていることを特徴とする成型駒。
【請求項２】
上記穴部は、上記閉鎖部材の端面に対して斜めに形成されていることを特徴とする請求項1記載の成型駒。
【請求項３】
上記閉鎖部材は、発泡スチロールを打ち抜いて形成されていることを特徴とする請求項1または２記載の成型駒。
【発明の詳細な説明】
【技術分野】
【０００１】
この発明は、茸の栽培において、茸菌が植菌されて原木に打ち込まれる成型駒に関する。
【背景技術】
【０００２】
従来、例えば椎茸を原木に植える方法として、植菌された大鋸屑等を成型して成型駒を作り、この成型駒を原木に設けた穿孔穴に打ち込む方法がある。このような成型駒を作る方法として、小孔を有する合成樹脂シートや不織布シートに多数の凹部をプレス加工により形成し、この凹部に、植菌した菌類支持体を充填するものがある。原木への植菌は、凹部をシートから取り出してこれを駒とし、原木の穴に成型駒を打ち込むものである。この凹部の開口部は、菌類支持体を閉鎖するため、熱可塑性樹脂フィルムが熱溶着されていたり、封蝋されたりしている。
【特許文献１】特開平２−２５５０１８号公報
【特許文献２】特開平５−３０４８３１号公報
【特許文献３】特開平８−７６号公報
【発明の開示】
【発明が解決しようとする課題】
【０００３】
しかし成型駒は、菌類支持体を閉鎖するために熱可塑性樹脂フィルムで強固にシールすると、茸類の生育が妨げられ、またシールが弱いと凹部に雑菌が進入し、やはり茸類の生育が妨げられる恐れがある。封蝋により閉鎖する場合は、茸類の良好な生育が得やすいが、封蝋用の設備が必要で、また作業効率もあまりよくなかった。一方、発砲スチロール等で作られた板状の閉鎖部材を用いる方法も考えられるが、閉鎖部材は菌類支持体と面で接すると剥がれやすいという問題がある。このため、自動植菌機を使って形成駒を原木に打ち込むときに、閉鎖部材が剥がれて不具合が生じるおそれがある。
【０００４】
この発明は、上記課題に鑑みてなされたものであり、自動植菌機による植菌やその他植菌作業によっても不良が発生せず、確実に原木に打ち込まれる成型駒を提供することを目的とする。
【課題を解決するための手段】
【０００５】
本発明は、茸栽培用原木に設けられた穿孔穴に入れられる茸菌を含有した粉体が、上記穿孔穴形状に成型された菌類支持体を有し、上記菌類支持体の一端部に取り付けられ上記穿孔穴の開口部を閉鎖する閉鎖部材が設けられた成型駒において、上記閉鎖部材の上記菌類支持体に接している端面には、複数の穴部が形成され、上記穴部の内側に菌類支持体の一部または菌類が侵入可能に形成され、上記閉鎖部材と上記菌類支持体が連結されている成型駒である。
【０００６】
上記穴部は、上記閉鎖部材の端面に対して斜めに形成され、さらに互いに異なる角度で形成されていても良い。上記閉鎖部材は、発泡スチロールの板を打ち抜いて形成されている。
【発明の効果】
【０００７】
本発明は、菌類支持体と閉鎖部材が確実に強固に結合されている成型駒であり、成型駒の打ち込みに際して閉鎖部材が離れることが無く、自動植菌機により植菌する場合も効率良く原木の穿孔穴に打ち込むことができる。
【発明を実施するための最良の形態】
【０００８】
以下、この発明の実施形態について図面について説明する。図１〜図３は、この発明の一実施形態を示すものであり、この実施形態の成型駒１０は、図３に示すように円筒形の菌類支持体１２から成り、菌類支持体１２は、軸方向の一端部１２ａに近付くに従い径がやや細くなっている。端部１２ａの端面は、略半円形に外側に膨出している。菌類支持体１２は、大鋸屑に茸菌を混ぜて固めたものであり、茸菌は、椎茸、しめじ、なめこ、ひらたけ、まいたけ等である。菌類支持体１２の、端部１２ａと反対側の端部１２ｂには、円板状の閉鎖部材１４が取り付けられている。閉鎖部材１４は、発泡スチロールの板等で作られ、閉鎖部材１４の、菌類支持体１２側の端面１４ａには、端面１４ａに対して互いに異なる角度で挿通された複数個の穴部１６が形成されている。穴部１６は貫通したものではなく、通底の穴である。穴部１６の内側には、菌類支持体１２が入り込んだ状態で固まり、これにより閉鎖部材１４は菌類支持体１２に連結されている。
【０００９】
次に成型駒１０の作り方について説明する。まず、図１に示すように、合成樹脂製の平坦なシート１８をプレスして、有底筒状の凹部２０を多数形成する。凹部２０は、先端部２０ａに近付くほど径が小さく形成され、先端部２０ａは外側に膨らむ半円形に形成されている。次に、シート１８の凹部２０に、茸菌を種菌した大鋸屑を充填し押圧する。同時に、閉鎖部材１４の穴部１６を有する端面１４ａが、凹部２０の大鋸屑側に面するように凹部２０の空間に嵌めこみ、適当な力で押し付ける。この後、シート１８の凹部２０の開口部側の面に、成型駒１０を覆う保護フィルム２２を取り付ける。そして、適温適湿下で、所定期間培養する。また、大鋸屑に茸菌を混ぜて所定期間培養したものをシート１８の凹部２０に充填しても良い。所定時間経過させることにより、大鋸屑や菌糸が閉鎖部材１４の穴部１６に入り、アンカーの役割を果たし、菌類支持体１２と閉鎖部材１４は確実に結合される。
【００１０】
ここで、閉鎖部材１４の作り方を説明する。まず、一定厚みの１枚の発泡スチロール板の片面に、穴部１６を互いに異なる角度で斜めに、全体にほぼ均一に形成する。この後、この発泡スチロール板をプレス装置により円形に打ち抜く。このとき、打ち抜きと同時にシート１８の凹部２０に閉鎖部材１４を嵌合させても良い。
【００１１】
次に、成型駒１０を茸類栽培用の原木に、自動的に打ち込むときは、成型駒１０がシート１８に入れられた状態で、自動植菌機にセットする。自動植菌機には、原木が保持されている。自動植菌機を作動させると、まず保護シート２２が剥がされ、シート１８の凹部２０から成型駒１０を取り外し、図示しないパレットに詰め込まれ、原木に設けられた穿孔穴に、エアーにより吐き出されて入れられる。このとき、成型駒１０は菌類支持体１２の端部１２ａが穿孔穴の奥に位置し、閉鎖部材１４が原木の表面側、つまり穿孔穴の開口縁部側に位置して穿孔穴を密閉して塞ぐ。
【００１２】
この実施形態の成型駒１０によれば、菌類支持体１２と閉鎖部材１４が簡単な構造で確実に連結されているため、自動植菌機により原木へ効率よく打ち込むことができ、閉鎖部材１４が、茸類の生育を妨げることもない。閉鎖部材１４は、穴部１６を発泡スチロール板の片面全体に形成し、次に打ち抜いて作るため、安価で大量に作ることができ、工数の増加も少ない。
【００１３】
なお、この発明の成型駒は、上記実施の形態に限定されるものではなく、茸菌の種類は自由に選択可能であり、また菌類支持体は大鋸屑以外に、木材チップ等菌類の培養に適したものであれば良い。シートや閉鎖部材、保護フィルムの素材は、加工しやすいものであれば使用可能である。
【図面の簡単な説明】
【００１４】
【図１】この発明の一実施形態の成型駒の、シートの凹部に入れられた状態を示す斜視図である。
【図２】この実施形態の成型駒の、シートの凹部に入れられた状態を示す縦断面図である。
【図３】この実施形態の成型駒の部分破断正面図である。
【符号の説明】
【００１５】
１０  成型駒
１２  菌類支持体
１４  閉鎖部材
１６  穴部
１８  シート
２０  凹部
２２  保護フィルム
【図１】
2005110547.tif 000003
【図２】
2005110547.tif 000004
【図３】
2005110547.tif 000005